(57)【特許請求の範囲】
【請求項１】
液体を貯留するタンクおよび前記液体を噴霧する噴霧ノズルを含む噴霧装置と、前記タンクの少なくとも一部を覆う本体部と、前記噴霧ノズルの少なくとも一部を覆うノズル収納部とを含む電動式吸入器において、
前記ノズル収納部は前記本体部の上面に設けられるものであり、使用者が前記本体部を片手で把持した状態において前記本体部を把持した手の指を乗せることができる指置部として前記ノズル収納部が形成され、
前記タンクは前記本体部への取り付けおよび前記本体部からの取り外しができるものであり、前記タンクの外面には前記液体の貯留量の指標となる目印部が突出して設けられ、前記タンクが前記本体部に取り付けられた状態において、前記目印部は使用者が指をかけることができるところに位置する
ことを特徴とする電動式吸入器。
【請求項２】
請求項１に記載の電動式吸入器において、
前記噴霧ノズルの開口側から開口側とは反対側の背面側に向かうにつれて上方から下方に向けて前記ノズル収納部の上面が傾斜している
ことを特徴とする電動式吸入器。
【請求項３】
請求項１または２に記載の電動式吸入器において、
前記噴霧ノズルの中心軸と前記ノズル収納部の上面とが平行である
ことを特徴とする電動式吸入器。
【請求項４】
請求項１〜３のいずれか一項に記載の電動式吸入器において、
前記ノズル収納部の平面視において、前記噴霧ノズルの全体および前記ノズル収納部の全体が前記本体部の外周よりも内側に設けられる
ことを特徴とする電動式吸入器。
【請求項５】
請求項１〜４のいずれか一項に記載の電動式吸入器において、
前記ノズル収納部の平面視において、前記噴霧ノズルの中心軸と直交する方向の前記本体部の最大の長さが、前記噴霧ノズルの中心軸に沿う方向の前記本体部の最大の長さよりも小さい
ことを特徴とする電動式吸入器。
【請求項６】
請求項１〜５のいずれか一項に記載の電動式吸入器において、
前記本体部の外面のうち、前記噴霧ノズルの開口側の面を前面として、噴霧ノズルの中心軸に対して前面とは反対側の面を後面としたとき、この後面は、中間部が外側に突出して湾曲している
ことを特徴とする電動式吸入器。
【請求項７】
請求項１〜６のいずれか一項に記載の電動式吸入器において、
前記噴霧装置を操作するためのスイッチを備え、
このスイッチは、前記本体部または前記ノズル収納部の外面であって、前記使用者が前記本体部を片手で把持した状態かつ前記本体部を把持した手の指を前記ノズル収納部の上面に乗せた状態において、前記本体部を把持している手の指により操作することのできる位置に設けられる
ことを特徴とする電動式吸入器。
【請求項８】
請求項１〜７のいずれか一項に記載の電動式吸入器において、
前記本体部への取り付けおよび前記本体部からの取り外しができるキャップを備え、このキャップが前記本体部に取り付けられた状態において前記ノズル収納部の全体が前記キャップにより覆われる
ことを特徴とする電動式吸入器。
【請求項９】
請求項７を引用する請求項８に記載の電動式吸入器において、
前記スイッチはスライド式のものであり、前記スイッチの操作位置として噴霧を行うための第１位置および噴霧を停止するための第２位置を有するものであり、前記第２位置は、前記第１位置よりも下方に設けられるものであり、前記キャップが前記本体部に取り付けられた状態において、前記キャップの端部により前記スイッチが前記第２位置に固定される
ことを特徴とする電動式吸入器。
【請求項１０】
液体を貯留するタンクおよび前記液体を噴霧する噴霧ノズルを含む噴霧装置と、前記タンクの少なくとも一部を覆う本体部と、前記噴霧ノズルの少なくとも一部を覆うノズル収納部とを含む電動式吸入器において、
前記ノズル収納部は前記本体部の上面に設けられるものであり、使用者が前記本体部を片手で把持した状態において前記本体部を把持した手の指を乗せることができる指置部として前記ノズル収納部が形成され、
前記本体部の内部には、同本体部の下面側に開口を有した第１収容部が形成されており、該第１収容部には前記開口を通じて前記タンクが着脱可能に収容され、
前記タンクの外面には目印部が突出して設けられ、前記タンクが前記本体部に取り付けられた状態において、前記目印部は使用者が指をかけることができるところに位置する
ことを特徴とする電動式吸入器。
【請求項１１】
請求項１０に記載の電動式吸入器において、
前記本体部の内部には、噴霧装置を駆動する駆動部に電力を供給する電源部が収容される第２収容部が形成されており、前記第１収容部及び前記第２収容部は、噴霧ノズルの開口を正面として見た場合の奥行き方向において前後となるように配置されている
ことを特徴とする電動式吸入器。
【発明の詳細な説明】
【技術分野】
【０００１】
本発明は、タンクに貯留された液体を噴霧する噴霧ノズルを有する噴霧装置を備える電動式吸入器に関する。
【背景技術】
【０００２】
特許文献１には、据え置き型の電動式吸入器が記載されている。この電動式吸入器は、本体部の上面の前方の端部から上方かつ前方に向けて突出する噴霧ノズルを備えている。使用者は、噴射ノズルの先端に対して口の位置を合わせることにより、口腔に対して適切な噴霧を行うことができる。
【先行技術文献】
【特許文献】
【０００３】
【特許文献１】特開２００７−１０５１０３号公報
【発明の概要】
【発明が解決しようとする課題】
【０００４】
ところで、特許文献１の電動式吸入器の本体部を片手で把持して使用すると、噴霧ノズルが本体部の上方かつ前方に向けて突出しているため、本体部を持つ手と噴霧口とが離れてしまう。このため、噴霧口を口腔に対して適切な状態を維持して噴霧を行うことが難しく、片手での使い勝手について改良の余地がある。
【０００５】
本発明はこのような実情に鑑みてなされたものであり、その目的は、片手で簡単に使用することができる電動式吸入器を提供することにある。
【課題を解決するための手段】
【０００６】
以下、上記目的を達成するための手段について記載する。
・本発明の電動式吸入器は、液体を貯留するタンクおよび前記液体を噴霧する噴霧ノズルを含む噴霧装置と、前記タンクの少なくとも一部を覆う本体部と、前記噴霧ノズルの少なくとも一部を覆うノズル収納部とを含む電動式吸入器において、前記ノズル収納部は前記本体部の上面に設けられるものであり、使用者が前記本体部を片手で把持した状態において前記本体部を把持した手の指を乗せることができる指置部として前記ノズル収納部が形成されることを特徴としている。
【０００７】
・この電動式吸入器においては、前記噴霧ノズルの開口側から開口側とは反対側の背面側に向かうにつれて上方から下方に向けて前記ノズル収納部の上面が傾斜していることが好ましい。
【０００８】
・この電動式吸入器においては、前記噴霧ノズルの中心軸と前記ノズル収納部の上面とが平行であることが好ましい。
・この電動式吸入器においては、前記ノズル収納部の平面視において、前記噴霧ノズルの全体および前記ノズル収納部の全体が前記本体部の外周よりも内側に設けられることが好ましい。
【０００９】
・この電動式吸入器においては、前記ノズル収納部の平面視において、前記噴霧ノズルの中心軸と直交する方向の前記本体部の最大の長さが、前記噴霧ノズルの中心軸に沿う方向の前記本体部の最大の長さよりも小さいことが好ましい。
【００１０】
・この電動式吸入器においては、前記本体部の外面のうち、前記噴霧ノズルの開口側の面を前面として、噴霧ノズルの中心軸に対して前面とは反対側の面を後面としたとき、この後面は、中間部が外側に突出して湾曲していることが好ましい。
【００１１】
・この電動式吸入器においては、前記噴霧装置を操作するためのスイッチを備え、このスイッチは、前記本体部または前記ノズル収納部の外面であって、前記使用者が前記本体部を片手で把持した状態かつ前記本体部を把持した手の指を前記ノズル収納部の上面に乗せた状態において、前記本体部を把持している手の指により操作することのできる位置に設けられることが好ましい。
【００１２】
・この電動式吸入器においては、前記本体部への取り付けおよび前記本体部からの取り外しができるキャップを備え、このキャップが前記本体部に取り付けられた状態において前記ノズル収納部の全体が前記キャップにより覆われることが好ましい。
【００１３】
・この電動式吸入器においては、前記スイッチはスライド式のものであり、前記スイッチの操作位置として噴霧を行うための第１位置および噴霧を停止するための第２位置を有するものであり、前記第２位置は、前記第１位置よりも下方に設けられるものであり、前記キャップが前記本体部に取り付けられた状態において、前記キャップの端部により前記スイッチが前記第２位置に固定されることが好ましい。
【００１４】
・この電動式吸入器においては、前記タンクは前記本体部への取り付けおよび前記本体部からの取り外しができるものであり、前記タンクの外面には前記液体の貯留量の指標となる目印部が突出して設けられ、前記タンクが前記本体部に取り付けられた状態において、前記目印部は使用者が指をかけることができるところに位置するところに位置することが好ましい。
・本発明の電動式吸入器は、液体を貯留するタンクおよび前記液体を噴霧する噴霧ノズルを含む噴霧装置と、前記タンクの少なくとも一部を覆う本体部と、前記噴霧ノズルの少なくとも一部を覆うノズル収納部とを含む電動式吸入器において、前記ノズル収納部は前記本体部の上面に設けられるものであり、使用者が前記本体部を片手で把持した状態において前記本体部を把持した手の指を乗せることができる指置部として前記ノズル収納部が形成され、前記本体部の内部には、同本体部の下面側に開口を有した第１収容部が形成されており、該第１収容部には前記開口を通じて前記タンクが着脱可能に収容され、前記タンクの外面には目印部が突出して設けられ、前記タンクが前記本体部に取り付けられた状態において、前記目印部は使用者が指をかけることができるところに位置することを特徴としている。
・この電動式吸入器においては、前記本体部の内部には、噴霧装置を駆動する駆動部に電力を供給する電源部が収容される第２収容部が形成されており、前記第１収容部及び前記第２収容部は、噴霧ノズルの開口を正面として見た場合の奥行き方向において前後となるように配置されていることが好ましい。
【発明の効果】
【００１５】
本発明によれば、片手で簡単に使用することができる電動式吸入器を提供することができる。
【図面の簡単な説明】
【００１６】
【図１】本発明の実施形態の電動式吸入器について、（ａ）はその正面構造を示す正面図、（ｂ）はその平面構造を示す平面図。
【図２】同実施形態の電動式吸入器について、その分解斜視構造を示す斜視図。
【図３】同実施形態の電動式吸入器について、図１（ｂ）のＡ−Ａ線に沿う断面構造を示す断面図。
【図４】同実施形態の電動式吸入器について、キャップおよびスイッチの関係を示す動作図。
【図５】同実施形態の電動式吸入器を使用するときの使用態様を示す動作図。
【図６】同実施形態の電動式吸入器について、本体部からタンクを取り外すときの動作態様を示す動作図。
【発明を実施するための形態】
【００１７】
図１〜図６を参照して、本発明の一実施形態について説明する。
図１に電動式吸入器１を示す。電動式吸入器１は、使用者が把持する筐体１０と、筐体１０の上部に被覆されるキャップ３０と、筐体１０の内部に設けられる噴霧装置５０（図２参照）とを含む。
【００１８】
以下では、電動式吸入器１についての各方向をそれぞれ次のように示す。
電動式吸入器１の長手方向に沿う方向を「高さ方向Ｚ」とする。高さ方向Ｚにおいて、筐体１０側からキャップ３０側に向かう方向を「上方」とする。また、高さ方向Ｚにおいて、キャップ３０側から筐体１０側に向かう方向を「下方」とする。
【００１９】
電動式吸入器１の平面視において、電動式吸入器１の噴霧ノズル８０の長手方向に沿う方向を「奥行方向Ｘ」とする。また、奥行方向Ｘにおいて、噴霧ノズル８０の背面側から開口側に向かう方向を「前方」とする。また、奥行方向Ｘにおいて、噴霧ノズル８０の開口側から背面側に向かう方向を「後方」とする。
【００２０】
高さ方向Ｚと直交し、かつ奥行方向Ｘと直交する方向を「幅方向Ｙ」とする。また、幅方向Ｙにおいて、噴霧ノズル８０の背面側から電動式吸入器１を見たときの右側に向かう方向を「右方」とする。また、噴霧ノズル８０の背面側から電動式吸入器１を見たときの左側に向かう方向を「左方」とする。
【００２１】
筐体１０は、噴霧するための液体を貯留するタンク７１を覆う本体部２０と、本体部２０の上面に設けられて噴霧ノズル８０のノズル本体８１（図３参照）を覆うノズル収納部２４とを含む。また、本体部２０の外周面には、噴霧装置５０を操作するスイッチ４１を含むスイッチ部４０が設けられている。
【００２２】
図１（ｂ）に示されるように、本体部２０の外周壁２１は、平面視において、幅方向Ｙよりも奥行方向Ｘに大きい楕円形をなしている。外周壁２１は、本体部２０の左方の壁部を形成する左側壁部２１Ａと、右方の壁部を構成する右側壁部２１Ｂと、前方の壁部を構成する前側壁部２１Ｃと、後方の壁部を形成する後側壁部２１Ｄとを含む。これら側壁部２１Ａ〜２１Ｄは、外周壁２１を４等分している。また、本体部２０は、これら側壁部２１Ａ〜２１Ｄの上方に突出して形成されるとともに、奥行方向Ｘおよび幅方向Ｙにおいて、外周壁２１の外周面よりも内側に設けられるキャップ嵌込部２２を含む。
【００２３】
左側壁部２１Ａおよび右側壁部２１Ｂは、それぞれその幅方向Ｙの中央が最も外側に向かって突出するように湾曲している。また、前側壁部２１Ｃおよび後側壁部２１Ｄは、その奥行方向Ｘの中央が最も外側に向かって突出するように湾曲している。左側壁部２１Ａおよび右側壁部２１Ｂは、前側壁部２１Ｃおよび後側壁部２１Ｄよりも大きく湾曲している。
【００２４】
図１（ａ）に示されるように、ノズル収納部２４は、キャップ嵌込部２２の上方に突出して形成される。ノズル収納部２４は、キャップ嵌込部２２の上面に設けられるとともに、後方から前方に向かうにつれて下方から上方に向けて傾斜して形成される。ノズル収納部２４の上面２４Ａは、噴霧ノズル８０の中心軸Ｃ１に対して平行となっている。また、ノズル収納部２４の外周面は、キャップ嵌込部２２の外周面２２Ａよりも内側に形成される。噴霧ノズル８０の噴霧口８４を備える開口部８２は、ノズル収納部２４から露出している。
【００２５】
左側壁部２１Ａには、奥行方向Ｘにおいて中央かつ高さ方向Ｚにおいて上方の端部にスイッチ部４０が設けられている。スイッチ４１は、図中二点鎖線で示される上方の第１位置と、実線で示される下方の第２位置との間で本体部２０に対してスライドすることができる。
【００２６】
前側壁部２１Ｃの前方かつ下方には、噴霧する液体を貯留するためのタンク７１を本体部２０に取り付けるためのタンク挿入口２３が形成されている。
キャップ３０は、筒状をなすとともに下方の端部が開口かつ上方の端部が閉口している。キャップ３０の外周面３０Ａは、本体部２０の外周壁２１の外周面の形状と一致している。また、内周面３０Ｂは、キャップ嵌込部２２の外周面２２Ａの形状と一致している。キャップ３０の内周面３０Ｂをキャップ嵌込部２２の外周面２２Ａに嵌め込むことにより、キャップ３０が本体部２０に固定される。
【００２７】
ノズル収納部２４の全体および噴霧ノズル８０の全体は、キャップ嵌込部２２の外周面２２Ａよりも内側に形成される。これにより、キャップ３０の内周面がキャップ嵌込部２２の外周面２２Ａに嵌め込まれたとき、ノズル収納部２４の全体および噴霧ノズル８０の全体は、キャップ３０の内周面３０Ｂの内側に収納される。
【００２８】
図２および図３を参照して、噴霧装置５０の構成について説明する。
図２に示されるように、本体部２０の内部には、噴霧装置５０が設けられている。噴霧装置５０は、噴霧のために空気の送出を行う駆動部６０と、液体を噴霧ノズル８０に供給するための液体供給部７０と、液体を噴霧する噴霧ノズル８０と、駆動部６０に電力を供給する電源部９０とを含む。
【００２９】
駆動部６０は、空気を送出するポンプ６１と、ポンプ６１から送出された空気を噴霧ノズル８０に供給する空気チューブ６２とを含む。
液体供給部７０は、液体が貯留されるタンク７１と、タンク７１の上方を密閉するタンクキャップ７４と、タンクキャップ７４と噴霧ノズル８０とを接続する接続チューブ７５とを含む。タンクキャップ７４の下方の端部には、液体を濾過するためのフィルター部７３が設けられている。
【００３０】
タンク７１の外周面には、目印部７１Ａが突出して設けられている。この目印部７１Ａは、タンク７１内に貯留することのできる液体の上限量の指標となる位置に設けられている。これにより、使用者はタンク７１内に貯留することのできる液体の上限量を知ることができる。なお、タンク７１に貯留される液体としては、水または薬液等を用いることができる。
【００３１】
タンク７１の上方の端部の外周には、Ｏリング７２が設けられる。このため、タンク７１の上方の端部の外周がタンクキャップ７４の内側に取り付けられたとき、タンク７１とタンクキャップ７４とがＯリング７２を介して密閉される。
【００３２】
図３に示されるように、噴霧ノズル８０は、内部孔８３を備えるノズル本体８１と、ノズル本体８１の開口側に設けられて噴霧口８４を備える開口部８２とを含む。噴霧ノズル８０の内部には、噴霧のための液体および空気が流通するための内部孔８３が形成されている。内部孔８３は、長手方向が噴霧ノズル８０の中心軸Ｃ１に沿う長孔として形成されている。内部孔８３の前方の端部には、噴霧口８４が形成されている。
【００３３】
また、噴霧ノズル８０の後方の壁部には、内部孔８３と空気チューブ６２とを接続する空気供給孔８５が形成されている。噴霧ノズル８０の下方の壁部かつ奥行方向Ｘにおいて噴霧ノズル８０の中間部の端部には、内部孔８３と接続チューブ７５とを接続する液体供給孔８６が形成されている。噴霧ノズル８０の下方の壁部、かつ奥行方向Ｘにおいて液体供給孔８６よりも前方の端部には、内部孔８３と接続チューブとを接続する液体戻し孔８７が形成されている。
【００３４】
図２に示されるように、電源部９０は、電源となる電池９１と、電池９１を支持する電池支持部９２とを含む。電池９１の電源は、スイッチ４１のスライドにともなってスイッチ金具４４の接続状態が切り替えられることにより、オンまたはオフに切り替えられる。スイッチ４１が上方の第１位置にあるとき、回路が接続されてポンプ６１が駆動するため、噴霧装置５０が駆動して噴霧が実行される。スイッチ４１が下方の第２位置にあるとき、回路が切断されてポンプ６１は駆動しない。
【００３５】
噴霧ノズル８０の噴霧の態様について説明する。なお、図中の実線の矢印Ａは、液体のタンク７１から噴霧ノズル８０への供給経路を示す。破線の矢印Ｂは、液体の噴霧ノズル８０からタンク７１への戻り経路を示す。一点鎖線の矢印Ｃは、ポンプ６１から噴霧ノズル８０への空気の供給経路を示す。
【００３６】
ポンプ６１の駆動によって空気チューブ６２を介して空気供給孔８５に空気が送りこまれることにより、空気は内部孔８３の内部を後方から前方に向かって流れる。このとき、ベンチュリ効果によって内部孔８３内の圧力が低下するため、タンクキャップ７４および接続チューブ７５および液体供給孔８６を介して内部孔８３に液体が供給される。内部孔８３に供給された液体は空気の流れとともに、噴霧口８４から噴霧ノズル８０の外部に噴霧される。噴霧口８４の内側に付着するなどして外部に噴霧されずに噴霧ノズル８０内に溜まった液体は、液体戻し孔８７および接続チューブ７５およびタンクキャップ７４を介してタンク７１に戻される。
【００３７】
図４を参照して、キャップ３０とスイッチ部４０との関係について説明する。
図４（ａ）に示されるように、スイッチ部４０は、本体部２０の左側壁部２１Ａに設けられるスライド面４３と、スライド面４３上を上方の第１位置および下方の第２位置にスライドするスイッチ４１とを含む。スイッチ４１の上方の端部である突出部４２は、スイッチ４１が第１位置にあるとき、高さ方向Ｚにおいてキャップ嵌込部２２と対応する位置に突出する。スイッチ４１が第１位置にあるとき電源がオンとなるとともに噴霧装置５０が駆動する状態に維持される。また、スイッチ４１が第２位置にあるとき電源がオフとなるとともに噴霧装置５０が停止した状態に維持される。
【００３８】
筐体１０からキャップ３０が取り外されているとき、スイッチ４１の位置は、第１位置および第２位置のいずれにも変更することができる。
図４（ｂ）に示されるように、筐体１０にキャップ３０が取り付けられているとき、スイッチ４１の突出部４２は、キャップ３０のキャップ端部３１のスイッチ４１と対応する部分により下方に押されてスイッチ４１が第２位置に維持される。すなわち、電源のオフが維持される。
【００３９】
図５を参照して、電動式吸入器１の操作手順について説明する。
（手順１）キャップ３０を外した状態の筐体１０を右手に持つ。このとき、親指を左側壁部２１Ａにかけ、中指および薬指および小指は右側壁部２１Ｂにかける。また、人差し指をノズル収納部２４の上面２４Ａにかける。
（手順２）人差し指を目印として噴霧口８４の位置を口に合わせる。
（手順３）スイッチ４１を右手の親指で第２位置から第１位置にスライドさせて噴霧を開始する。
【００４０】
図６を参照して、タンク７１を取り外すときの操作手順について説明する。
図６（ａ）に示されるように、使用者はタンク７１の目印部７１Ａに指先をかけて、下方に押す。これにより、タンクキャップ７４（図３参照）からタンク７１が外れる。これにより、図６（ｂ）に示されるように、タンク７１は、タンク挿入口２３を介して筐体１０の外部に取り外される。
【００４１】
タンク７１を再び取り付けるときには、タンク挿入口２３を介してタンク７１を筐体１０の内部に押し込む。これにより、タンク７１とタンクキャップ７４とがＯリング７２を介して固定される。
【００４２】
本実施形態によれば、以下に示す効果が得られる。
（１）電動式吸入器１のノズル収納部２４は、本体部２０の上面に設けられるとともに、使用者が本体部２０を片手で把持した状態において、本体部２０を把持した手の指を乗せることができる指置部としてノズル収納部２４が形成される。これにより、使用者は吸入器１を片手で簡単に使用することができる。
【００４３】
また、使用者は噴霧時において、ノズル収納部２４の上面に乗せた指を目印とすることができるため、噴霧口８４の位置を把握しやすくなる。これにより、使用者は自身の咽喉に対して噴霧口８４の方向および距離を適切な位置に設定するときに、その作業を容易に行うことができる。
【００４４】
（２）電動式吸入器１は、噴霧ノズル８０の背面側から開口側に向かうにつれて下方から上方に向けてノズル収納部２４の上面２４Ａが傾斜している。このため、使用者が筐体１０を把持した状態において、ノズル収納部２４の上面２４Ａに人差し指を乗せやすい。
【００４５】
（３）電動式吸入器１は、噴霧ノズル８０の中心軸Ｃ１とノズル収納部２４の上面２４Ａとが平行である。このため、使用者がノズル収納部２４の上面２４Ａに指を乗せた状態において、噴霧口８４からの噴霧の方向を把握しやすい。
【００４６】
また、噴霧ノズル８０の中心軸Ｃ１に対してノズル収納部２４の上面２４Ａが傾斜している場合と比較して、ノズル収納部２４が高さ方向Ｚにおいて大型化することを抑制することができる。
【００４７】
（４）電動式吸入器１は、平面視において噴霧ノズル８０の全体およびノズル収納部２４の全体が本体部２０の外周よりも内側に設けられる。このため、平面視において噴霧ノズル８０およびノズル収納部２４の少なくとも一方が本体部２０の外周よりも外側に突出して設けられる場合と比較して、電動式吸入器１が大型化することを抑制することができる。
【００４８】
（５）電動式吸入器１は、平面視において、噴霧ノズル８０の中心軸Ｃ１と直交する幅方向Ｙの本体部２０の最大の長さが、噴霧ノズル８０の中心軸Ｃ１に沿う奥行方向Ｘの本体部２０の最大の長さよりも小さい。これにより、使用者は、後側壁部２１Ｄを右手の掌に沿わせた状態で筐体１０を把持するとき、右手の指を左側壁部２１Ａおよび右側壁部２１Ｂにかけやすくなる。このため、本体部２０の幅方向Ｙの最大の大きさが長いものと比較して、使用者が筐体１０を片手で把持することが容易となる。
【００４９】
（６）電動式吸入器１は、本体部２０の外周壁２１の外周面のうち、噴霧ノズル８０の開口側の面を前面として、噴霧ノズル８０の中心軸Ｃ１に対して前面とは反対側の面を後面としたとき、この後面は、中間部が外側に突出して湾曲している。このため、後面が、例えば平面である場合と比較して、使用者は電動式吸入器１を片手で把持しやすくなる。
【００５０】
（７）電動式吸入器１は、噴霧装置５０を操作するためのスイッチ４１を備える。このスイッチ４１は、本体部２０またはノズル収納部２４の外面に設けられる。また、このスイッチ４１は、使用者が本体部２０を右手で把持した状態かつノズル収納部２４の上面２４Ａに本体部２０を把持した右手の人差し指を乗せた状態において、本体部２０を把持している右手の親指により操作することのできる位置に設けられる。このため、使用者は電動式吸入器１を持ち替えることなく、スイッチ４１を操作することができる。
【００５１】
（８）電動式吸入器１は、本体部２０への取り付けおよび本体部２０からの取り外しができるキャップ３０を備える。このキャップ３０を本体部２０に取り付けられた状態においてノズル収納部２４の全体は、キャップ３０により覆われる。このため、キャップ３０が本体部２０に取り付けられた状態において、筐体１０およびキャップ３０の外部に液体が漏れることが抑制される。また、噴霧を行わないときには本体部２０にキャップ３０が取り付けられることにより、噴霧口８４に汚れが付着することを抑制することができる。
【００５２】
また、平面視において、キャップ３０は本体部２０の外周と同一の形状をしているため、キャップ３０が本体部２０の外周よりも大きい場合と比較して、電動式吸入器１が大型化することを抑制することができる。
【００５３】
（９）電動式吸入器１のスイッチ４１はスライド式のものであり、スイッチ４１の操作位置として噴霧を行うための第１位置および噴霧を停止するための第２位置を有する。第２位置は、第１位置よりも下方に設けられる。そして、キャップ３０が本体部２０に取り付けられた状態において、キャップ３０のキャップ端部３１によりスイッチ４１が第２位置に固定される。このため、キャップ３０が本体部２０に取り付けられた状態において、噴霧が停止した状態が維持されることになる。これにより、キャップ３０が本体部２０に取り付けられた状態で噴霧が行われることが抑制される。
【００５４】
（１０）電動式吸入器１のタンク７１は、本体部２０への取り付けるおよび本体部２０からの取り外しができる。タンク７１の外面には液体の貯留量となる目印部７１Ａが突出して設けられている。タンク７１が本体部２０に取り付けられた状態において、目印部７１Ａは、使用者が指をかけることができるところに位置する。このため、使用者は目印部７１Ａに指をかけることにより、タンク７１を本体部２０から容易に取り外すことができる。
【００５５】
（１１）電動式吸入器１は、片手で把持することのできる小型のものである。このため、使用者が携帯することが容易となる。これにより、使用者は外出先で簡便に吸入を行うことができる。
【００５６】
（その他の実施形態）
なお、本発明の実施態様は上記実施形態に限られるものではなく、例えば以下に示すように変更することもできる。また、以下の各変形例は、上記実施形態についてのみ適用されるものではなく、異なる変形例同士を互いに組み合わせて実施することもできる。
【００５７】
・上記実施形態では、図１（ｂ）に示されるように、本体部２０の奥行方向Ｘの大きさを本体部２０の幅方向Ｙの大きさよりも大きくしたが、本体部２０の奥行方向Ｘの大きさを本体部２０の幅方向Ｙの大きさよりも小さくすることもできる。
【００５８】
・上記実施形態では、図１（ｂ）に示されるように、側壁部２１Ａ〜２１Ｄの形状を中央部が両端部よりも外側に突出して曲がった形状としたが、側壁部２１Ａ〜２１Ｄのうち少なくとも１つを平らな面にすることもできる。また、側壁部２１Ａ〜２１Ｄのうち少なくとも１つを中間部が内側に湾曲して曲がった形状とすることもできる。
【００５９】
・上記実施形態では、図１（ｂ）に示されるように、噴霧ノズル８０およびノズル収納部２４の全体が、平面視において奥行方向Ｘおよび幅方向Ｙにおいて外周壁２１よりも内側に設けられるようにしたが、噴霧ノズル８０の一部およびノズル収納部２４の一部の少なくとも一方を、奥行方向Ｘおよび幅方向Ｙにおいて外周壁２１よりも外側に突出して設けることもできる。
【００６０】
・上記実施形態では、図１（ａ）に示されるように、噴霧ノズル８０の中心軸Ｃ１が後方から前方に向かうにつれて下方から上方に傾斜しているが、噴霧ノズル８０の中心軸Ｃ１を奥行方向Ｘに対して平行にすることもできる。
【００６１】
・上記実施形態では、図１（ａ）に示されるように、ノズル収納部２４の上面２４Ａを噴霧ノズル８０の中心軸Ｃ１に対して平行な面にしたが、ノズル収納部２４の上面２４Ａを奥行方向Ｘかつ幅方向Ｙに沿う形状、すなわち高さ方向Ｚと直交する面にすることもできる。
【００６２】
・上記実施形態では、図１（ａ）に示されるように、ノズル収納部２４の上面２４Ａを噴霧ノズル８０の中心軸Ｃ１に対して平行にしたが、途中で湾曲する面とすることもできる。また、ノズル収納部２４の上面２４Ａに段差を設けることもできる。
【００６３】
・上記実施形態では、図１（ａ）に示されるように、ノズル収納部２４をキャップ嵌込部２２の後方の端部から前方の端部にかけて設けているが、ノズル収納部２４をキャップ嵌込部２２の後方の端部よりも前方側の部分から前方の端部にかけて設けることもできる。また、ノズル収納部２４をキャップ嵌込部２２の後方の端部から前方の端部よりも後方側の部分にかけて設けることもできる。
【００６４】
・上記実施形態では、図１（ａ）に示されるように、ノズル収納部２４の全体を被覆するキャップ３０を採用したが、噴霧口８４およびこの付近のみを被覆する噴霧口８４の形状に合わせたキャップを採用することもできる。
【００６５】
・上記実施形態では、図５に示されるように、右手で筐体１０を把持して使用する例を示したが、左手で筐体１０を把持して使用することもできる。この場合、スイッチ４１を中指で操作することもできる。
【００６６】
・上記実施形態では、図１（ａ）に示されるように、左側壁部２１Ａにスイッチ４１を設けたが、これに代えて、右側壁部２１Ｂにスイッチ４１を設けて左手用にすることもできる。
【００６７】
・上記実施形態では、図４に示されるように、キャップ３０が筐体１０に取り付けられた状態で第２位置に固定されるスイッチ４１を設けたが、ノズル収納部２４の上面２４Ａに押しボタン式のスイッチを設けることもできる。このとき、キャップ３０を筐体１０に取り付けた状態においては、スイッチ４１が露出しないため、スイッチ４１が切り替わることを抑制することができる。
【００６８】
・上記実施形態では、図２に示されるように、貯留する液体の上限量の指標となる位置にタンク７１の目印部７１Ａを設けたが、上限量よりも少ない量、例えば液体を追加する残量の指標となるタンク７１の下方の位置に設けることもできる。また、目印部７１Ａを高さ方向Ｚに沿う形状に変更することもできる。
【００６９】
・上記実施形態では、空気の流れにより液体を噴霧する噴霧装置５０を採用したが、これに代えて、液体を加温することにより蒸気を発生させる加熱装置を備えるとともに、発生した蒸気を噴霧口から噴霧する噴霧装置を採用することもできる。
【符号の説明】
【００７０】
１…電動式吸入器、２０…本体部、２４…ノズル収納部、３０…キャップ、４１…スイッチ、５０…噴霧装置、７１…タンク、７１Ａ…目印部、８１…噴霧ノズル。
【図１】
0005296030.tif 000002
【図２】
0005296030.tif 000003
【図３】
0005296030.tif 000004
【図４】
0005296030.tif 000005
【図５】
0005296030.tif 000006
【図６】
0005296030.tif 000007